(57)【特許請求の範囲】
【請求項１】
自動ダイヤル部と、原稿読み取り部と、０から９の数字キーと＊キー及び＃キーとからなる電話用キーを有するキー部とを備え、前記キー部における電話用キーの配列の中央位置に、それぞれ電話用キーの配列面の半分を覆う同じ大きさの少なくとも１枚のページシートを、開閉により電話用キーの配列面の一方の半分又は他方の半分を覆うように開閉可能に設け、このページシートの開閉状態に応じて前記電話用キーをテンキー又はワンタッチキーとして機能させることを特徴とする通信端末装置。
【発明の詳細な説明】
【０００１】
【発明の属する技術分野】
この発明は、ファクシミリ装置などの通信端末装置に関する。
【０００２】
【従来の技術】
一般によく知られたファクシミリ装置には、電話番号や種々の設定を行うためのテンキーと、予めいくつかの電話番号を登録しておき、ＦＡＸ送信するときに、予め登録してある相手先の電話番号に対応して設けてあるキーをワンタッチして自動ダイヤルするワンタッチキーを備えたものがある。また、このワンタッチキーは限られたキーで、多くの相手先に対して自動ダイヤル出来るようにページシートを設け、このページシートの開閉により、ワンタッチキーの数よりも多くの宛て先に対し、自動ダイヤル出来るようにしている。
【０００３】
【発明が解決しようとする課題】
上記した従来のファクシミリ装置では、テンキーとワンタッチキーが並設されているため、なお操作パネルの面積を軽減し、装置の小型化を実現しようとしても限界があった。
【０００４】
この発明は上記問題点に着目してなされたものであって、操作パネルの面積を更に軽減し、小型化ささた通信端末装置を提供することを目的としている。
【０００５】
【課題を解決するための手段】
この出願の通信端末装置は、自動ダイヤル部と、原稿読み取り部と、０から９の数字キーと＊キー及び＃キーとからなる電話用キーを有するキー部とを備え、前記キー部における電話用キーの配列の中央位置に、それぞれ電話用キーの配列面の半分を覆う同じ大きさの少なくとも１枚のページシートを、開閉により電話用キーの配列面の一方の半分又は他方の半分を覆うように開閉可能に設け、このページシートの開閉状態に応じて前記電話用キーをテンキー又はワンタッチキーとして機能させるようにしている。
【０００６】
この発明の通信端末装置では、ページシートの開閉によって、電話用キーをテンキーとして、あるいはワンタッチキーとして機能させる。そのため、テンキー（電話用キー）を配置するだけの面積の操作パネル部があれば良く、全体として操作パネルの面積を軽減できる。
【０００９】
【発明の実施の形態】
以下、実施の形態により、この発明をさらに詳細に説明する。図１は、この発明が実施されるファクシミリ装置の全体の概略構成を示すブロック図である。このファクシミリ装置は、ＮＣＵ１と、モデム２と、画像メモリ３と、ＲＡＭ４と、ＲＯＭ５と、主制御部（ＣＰＵ）６と、表示部７と、操作部８と、読み取り部９と、記録部１０とを備えている。
【００１０】
ＮＣＵ１は、電話回線１１との接続を制御するとともに、相手先の電話番号（対応したダイヤル信号）の送出及び着信を検出するための機能を備えている。モデム２は、ＩＴＵ−Ｔ勧告Ｔ．３０に従ったファクシミリ伝送制御手順に基づいて、Ｖ．１７、Ｖ．２７ｔｅｒ、Ｖ．２９等に従った送受信データの変調及び復調を行う。また、モデム２は、ナンバーディスプレイ情報を受信するためにＶ２３の復調機能も備えている。画像メモリ３は、受信画像データや読み取り部９で読み取った原稿画像データを一時的に記憶する。ＲＡＭ４は、ファクシミリ装置に関する各種情報を一時的に記憶する。ＲＯＭ５は、ファクシミリ装置全体を制御するためのプログラムを記憶する。
【００１１】
主制御部６は、ＣＰＵで構成され、ＲＯＭ５に記憶されたプログラムに従い、ファクシミリ装置を構成する各部を制御する。表示部７は、ファクシミリ装置の動作状態等の各種情報、例えば制御部６の制御のもと、プリント中に関する情報、読み取り中に関する情報を表示する。操作部８は、テンキー、スタートキー、ワンタッチキー、その他のキーで構成される。この実施形態ファクシミリ装置は、後に詳述するように、この操作部８のキーの配置及びその構成に特徴がある。読み取り部９は、原稿上の画像データを読み取って、白黒２値のイメージデータを出力する。記録部１０は、電子写真式のプリンタよりなり、受信画像データやコピー動作において読み取り部９で読み取った原稿の画像データを記録紙上に記録する。
【００１２】
図２は、この実施形態のファクシミリ装置の操作部８に使用されるキーの一部の配列を示す図である。ここでは、操作パネルの表面３１に１２個のキーが３×４に配列され、このキー配列の中央位置横線を開閉位置として、３枚のページシート３２、３３、３４が下方あるいは上方に開閉できるように構成されている。また、ページシート３２、３３、３４には、下方に閉じた状態での下端辺に突片３５、３６、３７を設け、これらの突片３５、３６、３７に対応してパネルの表面３１に、シート１センサ３８、シート２センサ３９、シート３センサ４０が設けられている。図２の状態では、シート１センサ３８、シート２センサ３９及びシート３センサ４０がいずれもオンしている。この場合は、シート１センサ３８のオンを優先する。この状態は、上方の数字キー１〜６と、下方の数字キー７、８、９及び０キー、＊キー、＃キーとして、つまりテンキーとして使用される。これらのキーは電話用のキーである。
【００１３】
図２に示したページシート３２を上方にめくるようにして閉じると、各キーは図３に示す配置となり、ここでのキーはワンタッチキーの第１グループとして使用される。図３では、シート１スイッチ３８はオフしており、シート２スイッチ３９及びシート３スイッチ４０がオンしている。シート２スイッチ３９のオンを優先し、ワンタッチキー第１のグループで使用されることを示す。
【００１４】
更に、ページシート３３を上方にめくって閉じると、ページシート３４のみが下方に残り、突片３７によりシート３スイッチ４０のみがオンしている。ここでのキーは、ワンタッチキーの第２グループとして使用される。
【００１５】
次に、図２、図３に示したキーで、上記実施形態ファクシミリ装置で、ダイヤル送信する場合の処理動作を図４に示すフロー図とともに説明する。
【００１６】
キー読み込み動作が開始されると、先ずステップＳＴ１においては、シート１センサ３８がオンか否かを判定する。シート１センサ３８がオンしている場合は、キーは図２に示す状態、つまりテンキーとして使用するものであるから、ステップＳＴ２に移行する。一方、シート１センサ３８がオンでない場合は、ステップＳＴ４へ移行する。ステップＳＴ２においては、押されたキーの印字そのままのテンキーとして入力し、その番号の連続入力を受けて、ステップＳＴ３でダイヤル送信する。
【００１７】
ステップＳＴ４においては、シート２センサ３９がオンか否かを判定する。シート２センサ３９がオンの場合は、図３に示す状態、つまりワンタッチキーの第１グループとして使用するものと判断し、ステップＳＴ５へ移行する。一方、シート２センサ３９がオンでない場合は、ステップＳＴ７へ移行する。ステップＳＴ５において押されたキーは、ワンタッチキーの第１のグループのキーとして入力し、ステップＳＴ６へ移行する。ステップＳＴ６においては、ワンタッチダイヤルテーブル１から操作したワンタッチキーに対応する宛て先番号を読み出し、自動ダイヤルし、処理を終了する。
【００１８】
ステップＳＴ７においては、シート３センサ４０がオンか否かを判定する。シート３センサ４０がオンの場合は、各キーがワンタッチキーの第２グループとして使用するものであると判断し、ステップＳＴ８へ移行する。一方、シート３センサ４０がオンでない場合は、ここでは何もせず、処理を終了する。ステップＳＴ８において、押されたキーはワンタッチキーのダイヤル２のグループのキーとして入力し、ステップＳＴ９へ移行する。ステップＳＴ９においては、ワンタッチダイヤルテーブル２から操作したワンタッチキーに対応する宛て先番号を読み出し、自動ダイヤルし、処理を終了する。
【００１９】
なお、上記実施形態ではシート３センサ４０がオンしていない場合、何もしないようにしているが、シート３センサ４０のオフは全てのページシートが上方にめくられた状態なので、この場合の各キーをワンタッチキーの第３グループとして使用するようにしてもよい。
【００２０】
図５及び図６は、この発明の他の実施形態である操作パネルを示す平面図である。この実施形態でも操作パネルの表面３１に１２個のキー３×４が配列され、これらのキーの配列の上面に、４枚のページシート４１（４２、４３、４４）が積層され、これらのページシート４１（４２、４３、４４）は、図５で示す上端辺４１ａを基準に上方に開閉できるようになっている。図５の状態では、全部のページシート４１（４２、４３、４４）が下方に閉じており、この場合１２個のキーは、数字キー１〜０、＊キー、＃キーのテンキーとして使用される。ページシートが１枚ずつ順次、上方にめくられる毎に、１２個のキーはワンタッチキー１のグループ、ワンタッチキー２のグループ、ワンタッチキー３のグループとして使用される。
【００２１】
ヒンジ部の右端には、それぞれのページシートが開閉されたことを検出する複数個のシートセンサ４９が設けられる。また、ページシート４１が上方に倒されると、下方のシート４２の上端部に１２個のキーがいかなるキーであるかを示すエリア５０が設けられている。これらのエリアには、ユーザが自由に記入してもよい。
【００２２】
【発明の効果】
本発明によれば、キー部における電話用キーの配列の中央位置に、それぞれ電話用キーの配列面の半分を覆う同じ大きさの少なくとも１枚のページシートを、開閉により電話用キーの配列面の一方の半分又は他方の半分を覆うように開閉可能に設け、このページシートの開閉状態に応じ、電話用キーをテンキーまたはワンタッチキーとして機能させるものであるから、テンキー（電話用キー）を配置する面積があれば、ワンタッチキーを配置する面積が不要であり、装置の操作部の面積を大幅に軽減でき、装置全体の小型化を図ることができる。
また、電話用キーのみ付設すればよい。
更に、ページシートをいずれに倒しても、キー配列面内であり、ページシート開閉用のスペースを必要としない。
【図面の簡単な説明】
【図１】この発明が実施されるファクシミリ装置の構成を示すブロック図である。
【図２】同ファクシミリ装置の操作部に配置されるキー配列を示す図である。
【図３】図３に示すキー配列より、ページシートを１枚めくって他面に倒した状態を示す図である。
【図４】上記ファクシミリ装置のキー読み込み処理動作を説明するためのフロー図である。
【図５】他の実施形態を示す操作部のキー配列を示す図である。
【図６】図５に示すキー配列より、ページシートを１枚めくって上方に倒した状態を示す図である。
【符号の説明】
１                  ＮＣＵ
２                  モデム
３                  画像メモリ
４                  ＲＡＭ
５                  ＲＯＭ
６                  主制御部
７                  表示部
８                  操作部
９                  読み取り部
１０                記録部
３２、３３、３４    ページシート
３５、３６、３７    突片
３８、３９、４０    ページシートセンサ
【図１】
0004158325.tif 000002
【図２】
0004158325.tif 000003
【図３】
0004158325.tif 000004
【図４】
0004158325.tif 000005
【図５】
0004158325.tif 000006
【図６】
0004158325.tif 000007